(57)【要約】【課題】本発明は、製造が容易で、楔金具が座金金具から分離、脱落することがなく、組み立て中の作業性が高いコンクリート型枠組立具とその押え金具を提供することを目的とする。【解決手段】本発明は、型枠板に取り付けた締付杆１１を挿通する座金金具１と、締付杆１１に挿入され端太材を型枠板に固定する楔金具２とを備え、座金金具１には、締付杆１１を挿通するための連結開口３とこの連結開口３と交差して楔金具２を案内する案内レール６ｃが設けられた底板１ｃと、案内レール６ｃに沿ってその両側で底板１ｃから立設された２つの楔姿勢制御板１ａ，１ｂとが設けられ、楔金具２には楔姿勢制御板１ａ，１ｂをそれぞれ付勢し楔金具の重力以上の摩擦力を発生するバネ部材１０ａ，１０ｂが設けられ、楔金具２の使用状態に応じた最適保持を行うことを特徴とする。【選択図】        図１
2004339857.tif 000002
【特許請求の範囲】
【請求項１】
型枠板に取り付けた締付杆を挿通する座金金具と、前記締付杆に挿入され端太材を前記型枠板に固定する楔金具とを備え、前記型枠板と前記端太材を使ってコンクリート型枠を組み立てるための押え金具であって、
前記座金金具には、前記締付杆を挿通するための連結開口と該連結開口と交差して前記楔金具を案内するガイド部が設けられた底板と、前記ガイド部に沿ってその両側で前記底板から立設された２つの楔姿勢制御板とが設けられ、
前記楔金具には、各楔姿勢制御板をそれぞれ付勢し前記楔金具の重力以上の摩擦力を発生する押圧部材が設けられ、この付勢力に対する反作用と前記摩擦力で前記楔金具の使用状態に応じた最適保持を可能にすることを特徴とする押え金具。
【請求項２】
前記押圧部材が、間隙を残して各楔姿勢制御板にまで先端が伸びる楔姿勢保持アームと、該楔姿勢保持アームに装着されるバネ部材から構成されることを特徴とする請求項１記載の押え金具。
【請求項３】
前記楔姿勢保持アームが中実の柱状体で構成され、前記バネ部材が該楔姿勢保持アームの周囲に巻回されていることを特徴とする請求項２記載の押え金具。
【請求項４】
前記楔姿勢保持アームが管状体で構成され、前記バネ部材が該楔姿勢保持アームの内部に収容されていることを特徴とする請求項２記載の押え金具。
【請求項５】
前記楔姿勢保持アームが、前記楔金具に固定されて両翼に伸びるシフト部と、該シフト部に支持される付勢部とから構成され、前記付勢部が前記シフト部に支持される位置が、前記シフト部が前記楔金具に固定される位置より楔金具の挿入方向にシフトされ、前記付勢部は各先端に間隙を残して各楔姿勢制御板にまで伸び、且つ前記付勢部にはバネ部材が装着されたことを特徴とする請求項２記載の押え金具。
【請求項６】
前記バネ部材の巻線のピッチが、各楔姿勢制御板と当接する先端部分で密なピッチに巻かれることを特徴とする請求項１〜５記載の押え金具。
【請求項７】
前記押圧部材がバネ弾性を備えた楔姿勢保持アームで構成され、該楔姿勢保持アームが自身の弾力で前記楔姿勢制御板を付勢することを特徴とする請求項１記載の押え金具。
【請求項８】
前記楔姿勢制御板の上端にはそれぞれ前記楔金具に向って突出した保護フランジが設けられ、前記押圧部材が該保護フランジの底板側の側面によってガイドされることを特徴とする請求項１〜７のいずれかに記載の押え金具。
【請求項９】
型枠板に取り付けた締付杆を挿通する座金金具と、前記締付杆に挿入され端太材を前記型枠板に固定する楔金具とを備え、前記型枠板と前記端太材を使ってコンクリート型枠を組み立てるための押え金具であって、
前記座金金具には、前記締付杆を挿通するための連結開口と該連結開口と交差して前記楔金具を案内するガイド部が設けられた底板と、前記ガイド部に沿ってその両側で前記底板から立設された２つの楔姿勢制御板と、該楔姿勢制御板の上端からそれぞれ前記楔金具に向って突出され前記楔金具との間隙を所定範囲内に設定する規制フランジとが設けられ、
前記座金金具には、前記楔金具を付勢し前記楔金具の重力以上の摩擦力を発生する押圧部材が設けられたことを特徴とする押え金具。
【請求項１０】
前記押圧部材の移動を所定範囲に制限するストッパ部が前記楔姿勢制御板に設けられたことを特徴とする請求項１〜９のいずれかに記載の押え金具。
【請求項１１】
請求項１〜１０のいずれかに記載の押え金具と、型枠板に取り付けられる締付杆を備え、隣接する型枠板の背面に端太材を配置して各型枠板の端太材上にそれぞれ押え金具を配設し、各型枠板に取り付けられた締付杆を前記押え金具の座金金具に挿通して、楔金具を前記締付杆に挿入して該端太材を前記型枠板に固定することを特徴とするコンクリート型枠組立具。
【発明の詳細な説明】
【０００１】
【発明の属する技術分野】
本発明は、隣接する型枠板の背面に端太材を当接して端太材を型枠板に楔作用で固定するための押え金具と、この押え金具と締付杆とで隣接して置かれる型枠板を端太材で固定するコンクリート型枠組立具に関する。
【０００２】
【従来の技術】
従来、コンクリートを打設するためのコンクリート型枠は、作業現場で組み立てられ、作業終了後に分解されて、繰返し使用される。これを組み立てるためのコンクリート型枠組立具の中で、鋼鉄製角柱パイプもしくはアルミ製角柱パイプ等の端太材を利用して型枠板同士を固定するものは、押え金具として締付杆に挿入する楔金具と、端太材を押える座金金具のセットが一組必要である。そして、この楔金具と座金金具は両者が揃っていないと作業性が悪くなる。
【０００３】
そこで、楔金具と座金金具をチェーンまたは鎖（以下、総称してチェーン）で繋いだ押え金具が提案された（特許文献１参照）。この押え金具は、一方の金具が不足して組み立てに支障をきたすようなことは防止できる。しかし、楔金具と座金金具を繋ぐチェーンは、楔の打ち込みやその取り外しのときに邪魔になり、扱い辛いものであった。押え金具を使用するときは、締付杆を座金金具に挿通して端太材を押えながら楔金具を差込口に差し込み、その後ハンマー等で楔金具を打ち込むが、締付杆を挿通して準備を行う間は楔金具がチェーンでぶら下がり、打ち込み作業の間にも楔金具が重力で落下したり、楔金具の姿勢や組み付け状態が崩れたりすることで、作業が手間取ることが多かった。さらにチェーンの重量やコストが加わって持ち運びも不便で、高価になる。
【０００４】
このため、楔金具と座金金具を一体化したコンクリート型枠組立具が提案された（特許文献２参照）。図９（ａ）は従来のコンクリート型枠組立具による型枠板と端太材の固定時の全体断面図、図９（ｂ）は従来のコンクリート型枠組立具のスライド方向横断面図、図１０は従来のコンクリート型枠組立具の楔金具と座金金具の斜視図である。図９（ａ）（ｂ）、図１０において、５１は型枠、５１ａは補強ウェブ、５２は端太材、５３は座金枠、５３ａ，５３ｂは座金枠５３に形成された左右一対のガイド板、５３ｃは上下に設けられた一対の突条である。また、５４は座金枠５３の中央部付近に穿設された連結穴、５５は連結穴５４に貫通されて型枠５１へ螺棒片Ｒを介して取りつけられるタイロッド、５６は楔穴、５７は楔、５７ａ，５７ｂは楔５７の左右両側面、５７ｃは楔５７の挟幅側先端、５７ｄは楔５７の広幅側終端である。螺棒片Ｒには中間接続金具Ｆが螺止される。５８はガイド板５３ａ，５３ｂの一方に設けられた突起、５９は突起５８をスライドする凹条、５９ａは始端である。
【０００５】
ガイド板５３ａ，５３ｂの左右両側面５７ａ，５７ｂの間隔は楔５７の厚さよりやや大きく、凹条５９に楔５７を挿入して突起５８を凹条５９に嵌合して挟圧変形させて座金枠５３と楔５７を係合する。
【０００６】
この従来のコンクリート型枠組立具は、以前のコンクリート型枠組立具のチェーンを取り除くことができ、座金枠５３と楔５７を一体化するもので有効なものあった。しかし、ガイド板５３ａ，５３ｂと交差する方向に小さな案内用の突起５８を形成するのは、座金枠５３が比較的肉厚のため容易な加工ではない。この場合プレス加工では丘陵状の傾斜の緩やかな小突起はできても、案内に適したシャープな形状に形成するのは難しい。溶接等で外付けしようとしてもガイド板５３ａ，５３ｂ間の狭い溝内での作業は難しいものであった。突起５８の形状の加工が甘いと、凹条５９との間がガタつき、叩いて使用するため繰返して使用していると、変形して突起５８が凹条５９から抜け出し、座金枠５３から楔５７が脱落する可能性があった。一旦分離すると、きわめて作業性が悪くなる。
【０００７】
このように従来のコンクリート型枠組立具は、座金枠５３と楔５７が分離、脱落するおそれがあり、耐久性に問題があった。また、特許文献１のようなチェーンで繋いだ押え金具と同様に、タイロッド５５を座金枠５３に挿通して端太材を押えながら楔５７を差込口に挿入するとき、楔５７が重力でズリ落ちてタイロッド５５の挿通を妨げ、作業が手間取るという課題もあった。
【０００８】
【特許文献１】
実公昭５９−２９０８２号公報
【特許文献２】
実開平４−５６８５９号公報
【０００９】
【発明が解決しようとする課題】
以上説明したように特許文献１の押え金具は、チェーンが扱い辛く、締付杆を座金金具に挿通して準備を行う間に楔金具がチェーンでぶら下がったり、打ち込む作業の間にも楔金具が重力で落下したり姿勢が崩れたりすることで、作業に手間取ることが多かった。
【００１０】
また、特許文献２で開示された押え金具は、チェーンをなくし、一体化を実現したが、厚肉の座金枠５３に小さな案内用の突起５８を形成するのは容易ではない。突起５８の形状が甘いと、継続して繰返して使用しているうちに座金枠５３から楔５７が脱落する可能性があり、耐久性に問題があるものであった。一旦分離すると一体化はできず作業性が悪化する。そして、タイロッド５５を座金枠５３に挿通して端太材を押えながら楔５７を差込口に差して打ち込むとき、楔５７が重力でズリ落ちてタイロッド５５の挿通を妨げ、一人では作業が手間取るという課題があった。
【００１１】
そこで本発明は、製造が容易で、使用中の変形等により楔金具が座金金具から不必要に分離、脱落することがなく、組み立て中の作業性が高いコンクリート型枠組立具とその押え金具を提供することを目的とする。
【００１２】
【課題を解決するための手段】
上記課題を解決するために本発明押え金具は、座金金具には、連結開口が形成されるとともに該連結開口と交差して楔金具を案内するガイド部が設けられた底板と、ガイド部に沿ってその両側で底板から立設された２つの楔姿勢制御板とが設けられ、楔金具には、各楔姿勢制御板をそれぞれ付勢し楔金具の重力以上の摩擦力を発生する押圧部材が設けられ、この付勢力に対する反作用と摩擦力で楔金具の使用状態に応じた最適保持を可能にすることを特徴とする。
【００１３】
これにより、製造が容易で、使用中の変形等により楔金具が座金金具から不必要に分離、脱落することがなく、組み立て中の作業性が高くなる。
【００１４】
【発明の実施の形態】
本発明の第１の発明は、型枠板に取り付けた締付杆を挿通する座金金具と、締付杆に挿入され端太材を型枠板に固定する楔金具とを備え、型枠板と端太材を使ってコンクリート型枠を組み立てるための押え金具であって、座金金具には、締付杆を挿通するための連結開口と該連結開口と交差して楔金具を案内するガイド部が設けられた底板と、ガイド部に沿ってその両側で底板から立設された２つの楔姿勢制御板とが設けられ、楔金具には、各楔姿勢制御板をそれぞれ付勢し楔金具の重力以上の摩擦力を発生する押圧部材が設けられ、この付勢力に対する反作用と摩擦力で楔金具の使用状態に応じた最適保持を可能にすることを特徴とする押え金具であり、２つの楔姿勢制御板は底板と同様の大きなサイズを有し、これはプレス加工で容易に成形でき、また押圧部材も大きなサイズであるから、従来のような微小な加工ではなく加工が容易である。押圧部材で各楔姿勢制御板を重力以上の摩擦力を発生するように付勢するため、組立中に重力でズリ落ちたりせず、円滑に組み立てが行える。付勢力が許す範囲で扱うことにより楔金具が座金金具から脱落することがない。分離した後での再組立も可能である。従って塑性変形等で発生する楔金具の座金金具からの脱落は起こらない。さらに、座金金具の移動を制限するストッパを設ければ確実に脱落を防ぐことができる。作業時にガタつかず調心が容易である。このように、各楔姿勢制御板からの反作用と摩擦力を利用し、組立中の係止、楔金具を打ち込み時の調心作用、保管時の一体化等の状態をすべて制御できる。
【００１５】
本発明の第２の発明は、第１の発明において、押圧部材が、間隙を残して各楔姿勢制御板にまで先端が伸びる楔姿勢保持アームと、該楔姿勢保持アームに装着されるバネ部材から構成されることを特徴とする押え金具であり、楔姿勢制御板と楔姿勢保持アームの先端との間隙が楔金具の揺動（傾斜）を許容するあそび（許容範囲）の角度となり、このあそびの範囲内においてはバネ部材によって楔金具を中立位置に戻そうとする調心作用が得られ、楔金具を挿入するとき円滑に挿入でき、作業性が高く、作業で変形等を起こすようなことがない。
【００１６】
本発明の第３の発明は、第２の発明において、楔姿勢保持アームが中実の柱状体で構成され、バネ部材が該楔姿勢保持アームの周囲に巻回されていることを特徴とする押え金具であり、柱状体を楔金具に溶接等で固定し、バネ部材を巻くだけで組み立てることができ、製造が容易である。
【００１７】
本発明の第４の発明は、第２の発明において、楔姿勢保持アームが管状体で構成され、バネ部材が該楔姿勢保持アームの内部に収容されていることを特徴とする押え金具であり、管状体を楔金具に溶接等で固定し、バネ部材を収容するだけで組み立てることができ、製造が容易である。管状体でバネ部材が保護される。
【００１８】
本発明の第５の発明は、第２の発明において、楔姿勢保持アームが、楔金具に固定されて両翼に伸びるシフト部と、該シフト部に支持される付勢部とから構成され、付勢部がシフト部に支持される位置が、シフト部が楔金具に固定される位置より楔金具の挿入方向にシフトされ、付勢部は各先端に間隙を残して各楔姿勢制御板にまで伸び、且つ付勢部にはバネ部材が装着されたことを特徴とする押え金具であり、シフト部によって楔姿勢制御板を付勢する位置を連結開口側に移動させることができ、座金金具の全体長さを短くすることができる。
【００１９】
本発明の第６の発明は、第１〜５のいずれかの発明において、バネ部材の巻線のピッチが、各楔姿勢制御板と当接する先端部分で密なピッチに巻かれることを特徴とする押え金具であり、密なピッチで巻回されているため、疎なピッチの場合には楔金具を挿入時にバネ部材の端部が楔姿勢制御板に食い込むといったことが生じるが、これが生じない。密なピッチの部分で楔姿勢制御板上を円滑にスライドすることができる。
【００２０】
本発明の第７の発明は、第１の発明において、押圧部材がバネ弾性を備えた楔姿勢保持アームで構成され、該楔姿勢保持アームが自身の弾力で楔姿勢制御板を付勢することを特徴とする請求項１記載の押え金具であり、バネ部材を設けることなく、楔姿勢保持アームだけで押圧部材を構成できるので、部品点数が少なく、製造が容易で安価になる。
【００２１】
本発明の第８の発明は、第１〜７のいずれかの発明において、楔姿勢制御板の上端にはそれぞれ楔金具に向って突出した保護フランジが設けられ、押圧部材が該保護フランジの底板側の側面によってガイドされることを特徴とする押え金具であり、保護フランジによって押圧部材の先端をガイドし、側面を保護できる。
【００２２】
本発明の第９の発明は、型枠板に取り付けた締付杆を挿通する座金金具と、締付杆に挿入され端太材を型枠板に固定する楔金具とを備え、型枠板と端太材を使ってコンクリート型枠を組み立てるための押え金具であって、座金金具には、締付杆を挿通するための連結開口と該連結開口と交差して楔金具を案内するガイド部が設けられた底板と、ガイド部に沿ってその両側で底板から立設された２つの楔姿勢制御板と、該楔姿勢制御板の上端からそれぞれ楔金具に向って突出され楔金具との間隙を所定範囲内に設定する規制フランジとが設けられ、座金金具には、楔金具を付勢し楔金具の重力以上の摩擦力を発生する押圧部材が設けられたことを特徴とする押え金具であり、２つの楔姿勢制御板とそれから突き出した規制フランジは底板と同様の大きなサイズを有し、これはプレス加工で容易に成形でき、従来のような微小な加工ではなく製造が容易である。押圧部材で重力以上の摩擦力を発生するように楔金具を付勢するため、組立中に重力でズリ落ちたりせず、円滑に組み立てが行える。付勢力が許す範囲で扱えば楔金具が座金金具から脱落することがない。分離した時は再組立も可能である。従って作業中に起きた変形等で発生する楔金具の座金金具からの脱落は起こらない。作業時にガタつかず調心が容易である。
【００２３】
本発明の第１０の発明は、第１〜９のいずれかの発明において、押圧部材の移動を所定範囲に制限するストッパ部が楔姿勢制御板に設けられたことを特徴とする押え金具であり、ストッパ部を越えて移動しないので完全に脱落を防ぐことができる。
【００２４】
本発明の第１１の発明は、第１〜１０のいずれかの発明の押え金具と、型枠板に取り付けられる締付杆を備え、隣接する型枠板の背面に端太材を配置して各型枠板の端太材上にそれぞれ押え金具を配設し、各型枠板に取り付けられた締付杆を押え金具の座金金具に挿通して、楔金具を締付杆に挿入して該端太材を型枠板に固定することを特徴とするコンクリート型枠組立具であり、加工が容易で、楔金具が座金金具から不必要に脱落することがなく、組み立てが円滑に行えるコンクリート型枠組立具を提供できる。
【００２５】
（実施の形態１）
以下、本発明の実施の形態１におけるコンクリート型枠組立具とその押え金具について説明する。図１（ａ）は本発明の実施の形態１における押え金具の座金金具の斜視図、図１（ｂ）は本発明の実施の形態１における押え金具の楔金具の斜視図、図１（ｃ）は（ｂ）の楔金具の側面図、図２（ａ）は本発明の実施の形態１における押え金具の斜視図、図２（ｂ）は（ａ）の押え金具の要部正面図、図２（ｃ）は（ｂ）の押え金具のＡ−Ａ断面図、図２（ｄ）は（ｃ）の押え金具のＢ−Ｂ断面図、図３（ａ）は本発明の実施の形態１における押え金具の第１の楔姿勢保持アーム、図３（ｂ）は本発明の実施の形態１における押え金具の第２の楔姿勢保持アーム、図４（ａ）は本発明の実施の形態１におけるコンクリート型枠組立具を構成する締付杆の正面図、図４（ｂ）は（ａ）の締付杆の側面図である。
【００２６】
まず、本発明の実施の形態１の押え金具について説明する。図１（ａ）（ｂ）、図２（ａ）（ｂ）（ｃ）（ｄ）において、１は２〜３ｍｍ厚さの鋼鈑をプレス加工でコ字状に形成された押え金具の座金金具、１ａ，１ｂは座金金具１の両側で対面するように折り曲げられ上端に保護フランジ８ａ，８ｂ（後述）が形成された楔姿勢制御板、１ｃは座金金具１の底板、２は３〜５ｍｍ厚さの鋼鈑を打ち抜いた略三角形状の座金金具１の楔金具、２ａは楔金具２の挿入側に形成された挿入角θが大きな挿入部である。座金金具１の一例としての大きさは、長手方向長さ１９０ｍｍ、幅は４０ｍｍである。なお座金金具１は、底板１ｃと楔姿勢制御板１ａ，１ｂにより全体として断面コ字状の形態となる。
【００２７】
３は座金金具１の底板１ｃに形成された後述する締付杆１１を挿通するための連結開口、４は底板１ｃから屈曲され端太材１３の位置を保持する脚板、５は脚板４と対になって端太材１３を挟み位置を保持する押え板、６ａ，６ｂは楔金具２をスライドさせるためプレス加工で形成した平行な突条、６ｃは突条６ａ，６ｂによって楔金具２をスライドさせるための案内レールである。本発明の実施の形態１におけるガイド部は、突条６ａ，６ｂによって形成された案内レール６ｃである。７はコ字状に打ち抜いた舌片状の押え板５を折り曲げたとき形成される第２開口、８ａ，８ｂは楔姿勢制御板１ａ，１ｂの上端で対向方向（内側）に向けて折り曲げられた小さな保護フランジ、８ｃは保護フランジ８ａ，８ｂの楔金具２の挿入側端部に形成されたストッパ部である。同様に先端側の端部にもストッパ部８ｃを設けるのがよい。さらに、ストッパ部８ｃは保護フランジ８ａ，８ｂの端部を折り曲げて形成するのがよい。なお、脚板４は、コンクリート型枠の組み立て方式により、高さの異なる複数種類が設けられる。これについては後述する。
【００２８】
９ａ，９ｂは楔金具２の両側に設けられた楔金具２の傾斜を防止するための楔姿勢保持アーム、１０ａ，１０ｂは楔姿勢保持アーム９ａ，９ｂに装着されたコイルバネ等のバネ部材である。本発明の実施の形態１における押圧部材は、楔姿勢保持アーム９ａ，９ｂとバネ部材１０ａ，１０ｂから構成される。図２（ａ）、図３（ａ）に示すように、楔姿勢保持アーム９ａ，９ｂは、それぞれ楔金具２の側面から楔姿勢制御板１ａ，１ｂに近傍まで突出される。楔姿勢保持アーム９ａ，９ｂの先端と楔姿勢制御板１ａ，１ｂとの間のあそびを形成するための間隙としては、それぞれ０．５ｍｍ〜２ｍｍ程度を開けておくのがよい。なお、バネ部材１０ａ，１０ｂは、巻線のピッチを楔姿勢制御板１ａ，１ｂと当接する先端部分で密なピッチに巻いておくのがよい。すなわち、先端が疎なピッチで巻回されている場合には楔金具を挿入時にバネ部材の端部が楔姿勢制御板に食い込むといったことが生じるが、先端が密なピッチで巻回されているとこれが生じない。そして密なピッチの部分で楔姿勢制御板１ａ，１ｂを円滑にスライドすることができる。
【００２９】
楔姿勢保持アーム９ａ，９ｂの周囲に巻回されたバネ部材１０ａ，１０ｂが楔金具２の重力以上の摩擦力を発生するように楔姿勢制御板１ａ，１ｂを付勢することにより、楔金具２をハンマー等で叩いて挿入するときに楔金具２が傾いても、その傾斜はバネ部材１０ａ，１０ｂが吸収して中立位置に戻し、いわゆる調心する。そして、あそび（許容限度）を越えた傾斜に対しては、楔姿勢保持アーム９ａ，９ｂの先端が楔姿勢制御板１ａ，１ｂの表面に当接し、楔金具２があそび以上に傾くのを確実に防ぐことができる。実施の形態１の押え金具を立てたときは、重力が作用しても楔金具２がズリ落ちることがない。そのための条件は、バネ部材１０ａ，１０ｂが加える付勢力に基づく摩擦力より重力が小さいことである。これによって作業中に重力で楔金具２がズリ落ちることはなく、保管時や搬送時にも楔金具２が座金金具１とバラバラになることはない。このように、楔姿勢制御板１ａ，１ｂからの反作用を利用し、組立中の係止、楔金具２を打ち込み時の調心作用、保管時の一体化等の状態をすべて制御できる。バネの弾性率とあそびの間隙を調整することで調心の程度を調整でき、調心が容易であり、作業時にガタつきが生じない。
【００３０】
楔姿勢保持アーム９ａ，９ｂは、直径５ｍｍ程度の１本のシャフト（本発明の中実の柱状体）を楔金具２に挿通して溶接等で固定するのがよい。別体のシャフトを２本用意してそれぞれ溶接等するのでもよい。また、楔姿勢保持アーム９ａ，９ｂの設置位置は、先端が楔姿勢制御板１ａ，１ｂに当接可能であれば基本的にはどこでもよいが、保護フランジ８ａ，８ｂの下方（底板側）側面に設けるのが安定した楔金具２のスライドと調心作用、係止が得られ、好適である。設置位置を高い位置にする方が傾斜角度を小さくできる。しかし、楔姿勢保持アーム９ａ，９ｂを楔金具２の後端側（挿入側）に設けると座金金具１の長さが長くなるので、座金金具１をどの程度の長さにするかで楔姿勢保持アーム９ａ，９ｂの設置位置を決定する必要がある。なお、楔姿勢保持アーム９ａ，９ｂを屈曲し、楔金具２に固定する位置と楔姿勢制御板１ａ，１ｂを付勢するバネ部材１０ａ，１０ｂの位置をずらした場合については実施の形態２で後述する。ストッパ部８ｃを保護フランジ８ａ，８ｂの両端に設ける場合は、楔姿勢保持アーム９ａ，９ｂを挿入してからストッパ部８ｃを折り曲げる。このとき楔金具２は座金金具１と確実に一体化される。これによって座金金具１と楔金具２が分離、脱落するおそれはなくなる。
【００３１】
ところで、楔姿勢保持アーム９ａ，９ｂはシャフトには限らない。図３（ｂ）に示すようにパイプ（本発明の管状体）で構成するのでもよい。図３（ｂ）において、１０は１本のコイルスプリングからなるバネ部材である。この場合、楔姿勢保持アーム９ａ，９ｂを直径８ｍｍ程度のパイプとし、パイプの中にバネ部材１０を付勢状態で収容しておく。楔姿勢保持アーム９ａ，９ｂの径がパイプを使うため太くなるが、バネ部材１０を保護することができ、またバネ部材１０が１本であるため、部品点数が減り、組み立てが楽になる。
【００３２】
次に、本発明の実施の形態１の締付杆について説明する。図４において、１１は楔金具２を差し込む締付杆、１１ａ，１１ｂは楔金具２の挿入部２ａを差し込む差込口である。差込口１１ａ，１１ｂは端太材１３の大きさで使い分けるのがよい。差込口１１ａ，１１ｂの幅は４ｍｍ〜９ｍｍ程度であり、楔金具２と差込口１１ａ，１１ｂとの間隙は１ｍｍ〜４ｍｍであり、これは楔姿勢保持アーム９ａ，９ｂの先端と楔姿勢制御板１ａ，１ｂとの各間隙０．５ｍｍ〜２ｍｍとほぼ同一の間隙である。これによって、楔金具２の挿入部２ａを差し込んだとき若干のブレがあったとしても、楔姿勢保持アーム９ａ，９ｂとバネ部材１０ａ，１０ｂとで中央位置（中立位置）に自動的に調整され、例え偏った方向からハンマー等で打ち込んでも円滑に挿入される。また、挿入するとき以外は楔姿勢保持アーム９ａ，９ｂとバネ部材１０ａ，１０ｂの付勢力で位置が保持され、楔金具２に重力が作用しても従来のように案内レール６ｃを滑ってズリ落ちることがない。
【００３３】
続いて、実施の形態１のコンクリート型枠組立具を使って型枠板を組み立てるときの使用状態について説明する。図５（ａ）は本発明の実施の形態１におけるコンクリート型枠組立具を使った型枠板の第１の組み立て方式説明図、図５（ｂ）は本発明の実施の形態１におけるコンクリート型枠組立具を使った型枠板の第２の組み立て方式説明図、図５（ｃ）は本発明の実施の形態１におけるコンクリート型枠組立具を使った型枠板の第３の組み立て方式説明図である。
【００３４】
図５（ａ）（ｂ）（ｃ）において、１２はコンクリート型枠を構成する型枠板、１２ａは型枠板１２に設けられた桟木、１３は隣接する型枠板１２の背面に当接され押え金具と締付杆１１とで固定するための端太材である。実施の形態１の端太材は断面正方形の鋼管である。桟木１２ａの断面形状は幅３０ｍｍ、型枠板１２からの高さが５０ｍｍ，６０ｍｍであり、端太材１３は一辺５０ｍｍ，６０ｍｍの正方形形状もしくは円形形状を備えている。
【００３５】
図５（ａ）で示しているのは、型枠板１２を並べて、型枠板１２から突出させた締付杆１１の両側を挟んで桟木１２ａ上に端太材１３を２本渡してコンクリート型枠を組み立てる第１の組み立て方式である。なお、締付杆１１は従来技術で説明した図９（ａ）に示すような螺棒片が螺合されて型枠板１２に固定され、これに中間接続金具が螺止される。このコンクリート型枠は、コンクリートを流し込めるように垂直に立った状態で組み立てられる。
【００３６】
この組み立て時には、図２（ａ）で示すように楔金具２を座金金具１の連結開口３から離れた位置に置き、垂直に立てた状態の型枠板１２から締付杆１１を座金金具１の連結開口３に挿通する。このとき端太材１３を押えながら上に座金金具１を置き、楔金具２をスライドさせて図５（ａ）に示すように締付杆１１の差込口１１ａに差し込む必要がある。実施の形態１のコンクリート型枠組立具は、楔姿勢保持アーム９ａ，９ｂとバネ部材１０ａ，１０ｂの作用で挿入前には楔金具２が係止され、締付杆１１を連結開口３に挿通し端太材１３を押えながら座金金具１を載置するという一連の作業だけに専念でき、仮組み付けが終わった後に楔金具２の挿入を行うことができ、容易に型枠板の組み立てが行える。
【００３７】
次に、図５（ｂ）で示しているのは、型枠板１２を並べて、型枠板１２から突出させた締付杆１１を２本の桟木１２ａの間から突出させ、この桟木１２ａ上に１本の端太材１３を渡し、座金金具１をこの端太材１３の上に置き、また座金金具１からＬ字状に延びた脚を桟木１２ａに置いてコンクリート型枠を組み立てる第２の組み立て方式である。図５（ｂ）において、４ａは底板１ｃ（図１（ａ）参照）からＬ字状に屈曲され、端太材１３の一辺の高さを与えられた第２脚板である。組み立てたときの安定のために第２脚板４ａはさらに屈曲されて底板１ｃに載置する台部が形成されている。
【００３８】
組み立てるときには、図２（ａ）で示すように楔金具２を座金金具１の連結開口３から遠ざけた位置に置き、垂直に立てた型枠板１２の桟木１２ａの間から締付杆１１を突出させ、端太材１３を片手で押えながら締付杆１１を座金金具１の連結開口３に挿通し、座金金具１の第２脚板４ａを桟木１２ａ上に置いて、楔金具２をスライドさせて図５（ｂ）に示すように締付杆１１の差込口１１ａに挿入する。端太材１３が１本であるため軽く、第１の組みたて方式より扱い易い。楔姿勢保持アーム９ａ，９ｂとバネ部材１０ａ，１０ｂにより、第１の組みたて方式と同様の作用効果が期待できる。
【００３９】
続いて、図５（ｃ）で示しているのは、型枠板１２を並べて、型枠板１２から締付杆１１を突出させ、型枠板１２の桟木１２ａ上に１本の端太材１３を渡し、座金金具１の一端をこの端太材１３の上に置き、また座金金具１からＬ字状に延びた長い脚を桟木１２ａに置いてコンクリート型枠を組み立てる第３の組み立て方式である。図５（ｃ）において、４ｂは底板１ｃからＬ字状に屈曲され、端太材１３の一辺の高さと桟木１２ａの和の高さを与えられた第３脚板である。組み立てたときの安定のために第３脚板４ｂはさらに屈曲されて台部が形成されている。
【００４０】
組み立てるときには、図２（ａ）で示すように楔金具２を座金金具１の連結開口３から遠ざけた位置に置き、垂直に立てた型枠板１２から締付杆１１を突出させ、端太材１３を片手で押えながら締付杆１１を座金金具１の連結開口３に挿通し、座金金具１の第２脚板４ａを桟木１２ａ上に置いて、楔金具２をスライドさせて図５（ｃ）に示すように締付杆１１の差込口１１ａに挿入する。桟木１２ａが少なく、端太材１３も１本であるため軽く、第１，第２の組みたて方式よりさらに扱い易い。楔姿勢保持アーム９ａ，９ｂとバネ部材１０ａ，１０ｂにより、第１の組みたて方式と同様の作用効果が期待できる。
【００４１】
このように実施の形態１のコンクリート型枠組立具の押え金具は、第１〜３の組み立て方式において、それぞれ脚板４、第２脚板４ａ、第３脚板４ｂとして脚の長さを変えるが、それぞれコンクリート型枠を作業効率が高く、容易に組み立てることができる。これに対して、従来のチェーン付きのコンクリート型枠組立具では、楔金具２を締付杆１１の差込口１１ａに挿入するときに、組み付け状態が崩れてしまう。また、調心作用がないため、挿入作業も時間がかかるし、粗雑に扱うと塑性変形を起こしたり、チェーンが切れたりするものであった。これを避けるために場合によっては２人で作業することもあった。また、締付杆１１を座金金具１とを一体化した従来のコンクリート型枠組立具の場合も、締付杆１１を座金金具１の連結開口３に挿通するときに楔金具２がズレ落ち、作業の間楔金具２を持ち上げておく必要があった。またハンマー等でかなり大胆に扱うため、粗雑に扱うことが続くと、座金金具１から楔金具２が分離、脱落してしまう。そしてこの場合も、上記同様、時間をかけるか、２人で作業するのが最善であった。しかし、実施の形態１のコンクリート型枠組立具は、楔姿勢保持アーム９ａ，９ｂとバネ部材１０ａ，１０ｂの調心作用と係止作用でこのような問題がすべて解決されるものである。
【００４２】
（実施の形態２）
続いて、本発明の実施の形態２におけるコンクリート型枠組立具とその押え金具について説明する。図６（ａ）は本発明の実施の形態２における第１の押え金具の斜視図、図６（ｂ）は本発明の実施の形態２における第２の押え金具の斜視図である。実施の形態２のコンクリート型枠組立具は、実施の形態１のコンクリート型枠組立具と基本的な構成が同一であり、同一符号は同一構成を示しているから、同一符号の説明は実施の形態１の譲って省略する。
【００４３】
図６（ａ）において、１４ａ，１４ｂは楔金具２の挿入方向に関して両翼に固定され、楔姿勢制御板１ａ，１ｂの方に向けて付勢力を備えて楔金具２が傾くのを防止する屈曲形楔姿勢保持アームである。屈曲形楔姿勢保持アーム１４ａ，１４ｂは、屈曲した直線で全体として概ねΩ字状に構成され、楔金具２に固定された位置と楔姿勢制御板１ａ，１ｂを付勢する位置との間がシフト部、このシフト部に支持される部分が付勢部となっており、楔姿勢制御板１ａ，１ｂ側に向けてバネ弾性が付与されている。固定点からアーム長さ（直線距離）に比例した外向きの付勢力を楔姿勢制御板１ａ，１ｂの内面に及ぼしている。
【００４４】
実施の形態２の屈曲形楔姿勢保持アーム１４ａ，１４ｂによれば、アームを長くすることにより、付勢部が楔金具の挿入方向にシフトさせることができ、押え金具全体の長さを短くすることができる。このとき、図１（ａ）に示す第２開口７から先の底板１ｃを除くことができる。
【００４５】
図６（ｂ）において、１５ａ，１５ｂは楔金具２の挿入方向に関して両側に設けられ、楔姿勢制御板１ａ，１ｂの方に向けてバネ部材１０ａ，１０ｂにより付勢力を加え、楔金具２が傾くのを防止する屈曲形楔姿勢保持アームである。図６（ｂ）の屈曲形楔姿勢保持アーム１５ａ，１５ｂは、図６（ａ）に示す屈曲形楔姿勢保持アーム１４ａ，１４ｂと同様の形状を備えているが、十分なバネ弾性が付与されていない（剛体の場合と、弱いバネ弾性がある場合の２つの場合がある）。シフト部から先の付勢部に別途配設されるバネ部材１０ａ，１０ｂを装着し、楔姿勢制御板１ａ，１ｂの方に向けて付勢力を加えるものである。付勢部はそれぞれの先端にあそびの間隙を残して楔姿勢制御板１ａ，１ｂにまで伸びる。この屈曲形楔姿勢保持アーム１５ａ，１５ｂの場合、部品点数は増えるが安価で、長さの短い押え金具にすることができる。上述の場合と同様に、シフト部によって楔姿勢制御板を付勢する位置が連結開口側に移動し、座金金具の全体長さを短くすることができる。
【００４６】
（実施の形態３）
次に、本発明の実施の形態３におけるコンクリート型枠組立具とその押え金具について説明する。図７（ａ）は本発明の実施の形態３における第１の押え金具の斜視図、図７（ｂ）は（ａ）の第１の押え金具のＤ−Ｄ断面図、図８（ａ）は本発明の実施の形態３における第２の押え金具の斜視図、図８（ｂ）は（ａ）の第２の押え金具のＥ−Ｅ断面図である。実施の形態３のコンクリート型枠組立具は、実施の形態１のコンクリート型枠組立具と基本的な構成が同一であり、同一符号は同一構成を示しているから、同一符号の説明は実施の形態１の譲って省略する。
【００４７】
図７（ａ）（ｂ）において、１６ａ，１６ｂは楔姿勢制御板１ａ，１ｂの上端で対向方向（内側）に向けて折り曲げられた規制フランジ、１７は楔姿勢制御板１ｂに切り込みを入れて楔金具２に向けて屈曲され周囲にバネ部材１０ｂが巻回された突片、１８は規制フランジ１６ａ，１６ｂが形成する楔金具２の厚さより少し大きな間隙である。規制フランジ１６ａ，１６ｂは楔金具２が倒れるのを防止するものである。突片１７に巻かれたバネ部材１０ｂは、楔金具２を間隙１８の一方に楔金具２の重力以上の摩擦力を発生するように押しつけて楔金具２のスライド位置を安定化する。これにより、楔金具２を締付杆１１の差込口１１ａ，１１ｂに確実にガイドでき、重力でもズレ落ちない。楔姿勢制御板１ａ，１ｂの双方に突片１７を設け、バネ部材１０ａ，１０ｂを設けてもよい。図７（ａ）（ｂ）に示す突片１７は楔姿勢制御板１ｂの側だけに設けられているが、楔姿勢制御板１ａの側にも設けることにより調心作用で締付杆１１の差込口１１ａ，１１ｂの中央に楔金具２を挿入するのもよい。間隙１８とバネ部材１０ａ，１０ｂによる押圧で係止され、この限度で楔金具２が座金金具１から分離、脱落することがない。またバネ部材１０ｂとあそびの間隙１８により、調心の程度を調整でき、調心が容易であり、作業時にガタつきが生じない。
【００４８】
図８（ａ）（ｂ）において、１９は楔金具２の一方からプレス加工で形成されたストッパ用突条である。このストッパ用突条１９は規制フランジ１６ｂに保護され、ストッパ部８ｃが当接することにより移動を制限されるため、楔金具２が座金金具１から分離、脱落することがない。なお、実施の形態３におけるプレス加工は図９（ａ）（ｂ）で示した従来技術のような微小で精度の高いプレスは不要である。そして、その他の構成は図７（ａ）（ｂ）の構成と同一であり、詳細な説明は省略する。
【００４９】
【発明の効果】
本発明の押え金具によれば、プレス加工で容易に成形でき、組立中に重力でズリ落ちたりせず、円滑に組み立てが行える。付勢力が許す範囲で扱えば楔金具が座金金具から脱落することがない。分離した時は再組立も可能である。従来のように変形等で発生する楔金具と座金金具の分離、脱落が起こらない。
【００５０】
また、本発明の押え金具によれば、加工が容易で、楔金具が座金金具から塑性変形で脱落するようなことがなく、組み立てが円滑に行えるコンクリート型枠組立具を提供できる。
【図面の簡単な説明】
【図１】（ａ）本発明の実施の形態１における押え金具の座金金具の斜視図
（ｂ）本発明の実施の形態１における押え金具の楔金具の斜視図
（ｃ）（ｂ）の楔金具の側面図
【図２】（ａ）本発明の実施の形態１における押え金具の斜視図
（ｂ）（ａ）の押え金具の要部正面図
（ｃ）（ｂ）の押え金具のＡ−Ａ断面図
（ｄ）（ｃ）の押え金具のＢ−Ｂ断面図
【図３】（ａ）本発明の実施の形態１における押え金具の第１の楔姿勢保持アーム
（ｂ）本発明の実施の形態１における押え金具の第２の楔姿勢保持アーム
【図４】（ａ）本発明の実施の形態１におけるコンクリート型枠組立具を構成する締付杆の正面図
（ｂ）（ａ）の締付杆の側面図
【図５】（ａ）本発明の実施の形態１におけるコンクリート型枠組立具を使った型枠板の第１の組み立て方式説明図
（ｂ）本発明の実施の形態１におけるコンクリート型枠組立具を使った型枠板の第２の組み立て方式説明図
（ｃ）本発明の実施の形態１におけるコンクリート型枠組立具を使った型枠板の第３の組み立て方式説明図
【図６】（ａ）本発明の実施の形態２における第１の押え金具の斜視図
（ｂ）本発明の実施の形態２における第２の押え金具の斜視図
【図７】（ａ）本発明の実施の形態３における第１の押え金具の斜視図
（ｂ）（ａ）の第１の押え金具のＤ−Ｄ断面図
【図８】（ａ）本発明の実施の形態３における第２の押え金具の斜視図
（ｂ）（ａ）の第２の押え金具のＥ−Ｅ断面図
【図９】（ａ）従来のコンクリート型枠組立具による型枠板と端太材の固定時の全体断面図
（ｂ）従来のコンクリート型枠組立具のスライド方向横断面図
【図１０】従来のコンクリート型枠組立具の楔金具と座金金具の斜視図
【符号の説明】
１  座金金具
１ａ，１ｂ  楔姿勢制御板
１ｃ  底板
２  楔金具
２ａ  挿入部
３  連結開口
４  脚板
４ａ  第２脚板
４ｂ  第３脚板
５  押え板
６ａ，６ｂ  突条
６ｃ  案内レール
７  第２開口
８ａ，８ｂ  保護フランジ
８ｃ  ストッパ部
９ａ，９ｂ  楔姿勢保持アーム
１０ａ，１０ｂ  バネ部材
１１  締付杆
１１ａ，１１ｂ  差込口
１２  型枠板
１２ａ  桟木
１３  端太材
１４ａ，１４ｂ  屈曲形楔姿勢保持アーム
１５ａ，１５ｂ  屈曲形楔姿勢保持アーム
１６ａ，１６ｂ  規制フランジ
１７  突片
１８  間隙
１９  ストッパ用突条
【図１】
2004339857.tif 000003
【図２】
2004339857.tif 000004
【図３】
2004339857.tif 000005
【図４】
2004339857.tif 000006
【図５】
2004339857.tif 000007
【図６】
2004339857.tif 000008
【図７】
2004339857.tif 000009
【図８】
2004339857.tif 000010
【図９】
2004339857.tif 000011
【図１０】
2004339857.tif 000012